(57)【要約】      （修正有）【課題】ガーデニング用のラティスフェンスを倒れないように立てておくためのラティス用石台を提供する。【解決手段】石台３の上部を湾曲状又は台形状又は半円状に盛り上げ、頂部にはラティスフェンス２を嵌め込むための溝を形成し、底面には半円状の窪みを形成し、溝とラティスフェンスの間に隙間がある場合には、当該隙間を埋めるための楔を差し込むことを特徴としてラティス用石台を構成する。【選択図】図１
0003158142.tif 000002
【実用新案登録請求の範囲】
【請求項１】
石台の上部を湾曲状又は台形状又は半円状に盛り上げ、頂部にラティスフェンスを嵌め込むための溝を形成したことを特徴とするラティス用石台。
【請求項２】
底面に半円状の窪みを形成したことを特徴とする請求項１に記載のラティス用石台。
【請求項３】
溝とラティスフェンスの間に隙間がある場合に、当該隙間を埋めるための楔を差し込むことを特徴とする請求項１又は２に記載のラティス用石台。
【考案の詳細な説明】
【技術分野】
【０００１】
本考案は、ガーデニング用のラティスフェンスを倒れないように立てておくためのラティス用石台に関するものである。
【背景技術】
【０００２】
ラティスフェンスは、家庭で行うガーデニングでよく使われる木製の柵であり、庭を仕切る際に用いたりする。尚、格子状の枠体のみであるため、土台や柱など何らかの固定手段が必要である。
【０００３】
特許文献１に記載されているように、ブロック等の塀又は布基礎上に木製のラティスフェンスを固定し、塀上の空間を利用できるようにした発明も公開されている。
【考案の概要】
【考案が解決しようとする課題】
【０００４】
しかしながら、特許文献１に記載の発明は、塀上に固定した２本の柱の間にラティスフェンスを挟んで保持するもので、塀などが無い地面にラティスフェンスを立てるには適さないという問題がある。
【０００５】
そこで、本考案は、ガーデニング用のラティスフェンスを倒れないように立てておくためのラティス用石台を提供することを目的とするものである。
【課題を解決するための手段】
【０００６】
上記の課題を解決するために、本考案は、石台の上部を湾曲状又は台形状又は半円状に盛り上げ、頂部にはラティスフェンスを嵌め込むための溝を形成し、底面には半円状の窪みを形成し、溝とラティスフェンスの間に隙間がある場合には、当該隙間を埋めるための楔を差し込むことを特徴とするラティス用石台の構成とした。
【考案の効果】
【０００７】
本考案は、ラティス用石台に形成した溝にラティスフェンスを嵌め込むだけで、簡単にラティスフェンスを立てることができる。柱等に固定しなくて良いので、自由にラティスフェンスを配置することができる。
【図面の簡単な説明】
【０００８】
【図１】本考案であるラティス用石台を用いてラティスフェンスを立てた状態の斜視図である。
【図２】本考案であるラティス用石台を用いてラティスフェンスを立てた状態の正面図である。
【図３】本考案であるラティス用石台を用いてラティスフェンスを立てた状態の平面図である。
【図４】本考案であるラティス用石台を用いてラティスフェンスを立てた状態の側面図である。
【図５】本考案であるラティス用石台を湾曲状に盛り上げた場合の斜視図である。
【図６】本考案であるラティス用石台を湾曲状に盛り上げた場合の正面図及び平面図及び側面図である。
【図７】本考案であるラティス用石台を台形状に盛り上げた場合の斜視図である。
【図８】本考案であるラティス用石台を台形状に盛り上げた場合の正面図及び平面図及び側面図である。
【図９】本考案であるラティス用石台を半円状に盛り上げた場合の斜視図である。
【図１０】本考案であるラティス用石台を半円状に盛り上げた場合の正面図及び平面図及び側面図である。
【図１１】本考案であるラティス用石台を湾曲状に盛り上げ底面に窪みを設けた場合の斜視図である。
【図１２】本考案であるラティス用石台を湾曲状に盛り上げ底面に窪みを設けた場合の正面図及び平面図及び側面図及び底面図である。
【図１３】本考案であるラティス用石台を台形状に盛り上げ底面に窪みを設けた場合の斜視図である。
【図１４】本考案であるラティス用石台を台形状に盛り上げ底面に窪みを設けた場合の正面図及び平面図及び側面図及び底面図である。
【図１５】本考案であるラティス用石台を半円状に盛り上げ底面に窪みを設けた場合の斜視図である。
【図１６】本考案であるラティス用石台を半円状に盛り上げ底面に窪みを設けた場合の正面図及び平面図及び側面図及び底面図である。
【図１７】本考案であるラティス用石台に楔を用いてラティスフェンスとの隙間を埋めた場合の斜視図である。
【図１８】本考案であるラティス用石台に用いる楔の斜視図である。
【図１９】本考案であるラティス用石台に挿した楔を折った状態を示す図である。
【考案を実施するための形態】
【０００９】
本発明であるラティス用石台は、石台の上部を湾曲状又は台形状又は半円状に盛り上げ、頂部にラティスフェンスを嵌め込むための溝を形成し、底面に半円状の窪みを形成したことを特徴とし、溝とラティスフェンスの間に隙間がある場合に、当該隙間を埋めるための楔を差し込むことが可能である。
【実施例１】
【００１０】
図１は、本考案であるラティス用石台を用いてラティスフェンスを立てた状態の斜視図である。図２は、本考案であるラティス用石台を用いてラティスフェンスを立てた状態の正面図である。
【００１１】
また、図３は、本考案であるラティス用石台を用いてラティスフェンスを立てた状態の平面図である。図４は、本考案であるラティス用石台を用いてラティスフェンスを立てた状態の側面図である。
【００１２】
ラティス用石台１は、ラティスフェンス２を立てた状態で維持するための石台３であり、安定した状態で保持するために、主にラティスフェンス２の左下端と右下端の２箇所を固定する。
【００１３】
尚、ラティスフェンス２が横長の場合は、複数の石台３を用いても良いし、複数のラティスフェンス２を用いる場合は、一のラティスフェンス２の左下端と左隣りのラティスフェンス２の右下端を１つの石台３で固定しても良い。
【００１４】
図５は、本考案であるラティス用石台を湾曲状に盛り上げた場合の斜視図である。図６は、本考案であるラティス用石台を湾曲状に盛り上げた場合の正面図及び平面図及び側面図である。
【００１５】
尚、図の上段が平面図であり、図の下段左側が側面図であり、図の下段右側が正面図である。
【００１６】
石台３は、御影石等の直方体状の石材について、上部が湾曲状に盛り上がるように成形し、その湾曲部３ｂの頂部にラティスフェンス２を嵌め込むための溝３ａを掘ったしたものである。
【００１７】
溝３ａは、上方から中心付近まで彫り、底面までは貫通させないのが好ましい。尚、手前から奥側には貫通させても良い。湾曲部３ｂは、頂部から側面に向かって湾曲しながら下り、途中から垂下する。
【００１８】
図７は、本考案であるラティス用石台を台形状に盛り上げた場合の斜視図である。図８は、本考案であるラティス用石台を台形状に盛り上げた場合の正面図及び平面図及び側面図である。
【００１９】
尚、図の上段が平面図であり、図の下段左側が側面図であり、図の下段右側が正面図である。
【００２０】
石台４は、石台３の形状を変えたもので、上部が台形状に盛り上がるように成形し、その台形部４ｂの頂部中央にラティスフェンス２を嵌め込むための溝４ａを掘ったものである。
【００２１】
溝４ａは、上方から中心付近まで彫り、底面までは貫通させないのが好ましい。尚、手前から奥側には貫通させても良い。台形部４ｂは、正面から見ると上部が略台形であり、上面中央から側面に向かって水平な状態から下方に傾斜し、途中から下垂する。
【００２２】
図９は、本考案であるラティス用石台を半円状に盛り上げた場合の斜視図である。図１０は、本考案であるラティス用石台を半円状に盛り上げた場合の正面図及び平面図及び側面図である。
【００２３】
尚、図の上段が平面図であり、図の下段左側が側面図であり、図の下段右側が正面図である。
【００２４】
石台５は、石台３の形状を変えたもので、上部が半円状に盛り上がるように成形し、その半円部５ｂの頂部にラティスフェンス２を嵌め込むための溝５ａを掘ったものである。
【００２５】
溝５ａは、上方から中心付近まで彫り、底面までは貫通させないのが好ましい。尚、手前から奥側には貫通させても良い。半円部５ｂは、正面から見ると略半円形であり、頂部から側面に向かって弧を描く。
【００２６】
図１１は、本考案であるラティス用石台を湾曲状に盛り上げ底面に窪みを設けた場合の斜視図である。図１２は、本考案であるラティス用石台を湾曲状に盛り上げ底面に窪みを設けた場合の正面図及び平面図及び側面図及び底面図である。
【００２７】
尚、図の上段が平面図であり、図の中段左側が側面図であり、図の中段右側が正面図であり、図の下段が底面図である。
【００２８】
石台３は、御影石等の直方体状の石材について、上部が湾曲状に盛り上がるように成形し、その湾曲部３ｂの頂部にラティスフェンス２を嵌め込むための溝３ａを掘り、さらに、底面３ｃの中央に半円状の窪み３ｄを設けたものである。
【００２９】
溝３ａは、上方から中心付近まで彫り、底面までは貫通させないのが好ましい。尚、手前から奥側には貫通させても良い。湾曲部３ｂは、頂部から側面に向かって湾曲しながら下り、途中から垂下する。
【００３０】
窪み３ｄは、底面３ｃの中央を手前から奥に向かって蒲鉾状に刳り抜いたものである。底面３ｃに掛かる重みを端側に向けることで安定させる。尚、矩形状など他の形状で刳り抜いても構わない。
【００３１】
図１３は、本考案であるラティス用石台を台形状に盛り上げ底面に窪みを設けた場合の斜視図である。図１４は、本考案であるラティス用石台を台形状に盛り上げ底面に窪みを設けた場合の正面図及び平面図及び側面図及び底面図である。
【００３２】
尚、図の上段が平面図であり、図の中段左側が側面図であり、図の中段右側が正面図であり、図の下段が底面図である。
【００３３】
石台４は、石台３の形状を変えたもので、上部が台形状に盛り上がるように成形し、その台形部４ｂの頂部中央にラティスフェンス２を嵌め込むための溝４ａを掘り、さらに、底面４ｃの中央に半円状の窪み４ｄを設けたものである。
【００３４】
溝４ａは、上方から中心付近まで彫り、底面までは貫通させないのが好ましい。尚、手前から奥側には貫通させても良い。台形部４ｂは、正面から見ると上部が略台形であり、上面中央から側面に向かって水平な状態から下方に傾斜し、途中から下垂する。
【００３５】
窪み４ｄは、底面４ｃの中央を手前から奥に向かって蒲鉾状に刳り抜いたものである。底面４ｃに掛かる重みを端側に向けることで安定させる。尚、矩形状など他の形状で刳り抜いても構わない。
【００３６】
図１５は、本考案であるラティス用石台を半円状に盛り上げ底面に窪みを設けた場合の斜視図である。図１６は、本考案であるラティス用石台を半円状に盛り上げ底面に窪みを設けた場合の正面図及び平面図及び側面図及び底面図である。
【００３７】
尚、図の上段が平面図であり、図の中段左側が側面図であり、図の中段右側が正面図であり、図の下段が底面図である。
【００３８】
石台５は、石台３の形状を変えたもので、上部が半円状に盛り上がるように成形し、その半円部５ｂの頂部にラティスフェンス２を嵌め込むための溝５ａを掘り、さらに、底面５ｃの中央に半円状の窪み５ｄを設けたものである。
【００３９】
溝５ａは、上方から中心付近まで彫り、底面までは貫通させないのが好ましい。尚、手前から奥側には貫通させても良い。半円部５ｂは、正面から見ると略半円形であり、頂部から側面に向かって弧を描く。
【００４０】
窪み５ｄは、底面５ｃの中央を手前から奥に向かって蒲鉾状に刳り抜いたものである。底面５ｃに掛かる重みを端側に向けることで安定させる。尚、矩形状など他の形状で刳り抜いても構わない。
【００４１】
図１７は、本考案であるラティス用石台に楔を用いてラティスフェンスとの隙間を埋めた場合の斜視図である。図１８は、本考案であるラティス用石台に用いる楔の斜視図である。図１９は、本考案であるラティス用石台に挿した楔を折った状態を示す図である。
【００４２】
石台３の溝３ａにラティスフェンス２を嵌め込んだ際に、溝３ａとラティスフェンス２の間に隙間があると、ぐらついて安定しないことがあるので、当該隙間に楔６を差し込んで埋めることができる。
【００４３】
楔６は、先端が尖っており、後端に向かうにつれて徐々に太くなる木製やゴム製又は樹脂製等の部材であり、先端を差し込んでいくことで、隙間によるぐらつきを抑えることができる。
【００４４】
楔６には、先端から中間部にかけて複数の切込み６ａが入れてあり、折り曲げて切断することが可能である。溝３ａとラティスフェンス２の隙間に挿した後、隙間より上に出た部分を切り取ることにより、見映えを良くすることができる。
【符号の説明】
【００４５】
１        ラティス用石台
２        ラティスフェンス
３        石台
３ａ      溝
３ｂ      湾曲部
３ｃ      底面
３ｄ      窪み
４        石台
４ａ      溝
４ｂ      台形部
４ｃ      底面
４ｄ      窪み
５        石台
５ａ      溝
５ｂ      半円部
５ｃ      底面
５ｄ      窪み
６        楔
６ａ      切込み
【先行技術文献】
【特許文献】
【００４６】
【特許文献１】特開２０００−１２９９６４号公報
【図１】
0003158142.tif 000003
【図２】
0003158142.tif 000004
【図３】
0003158142.tif 000005
【図４】
0003158142.tif 000006
【図５】
0003158142.tif 000007
【図６】
0003158142.tif 000008
【図７】
0003158142.tif 000009
【図８】
0003158142.tif 000010
【図９】
0003158142.tif 000011
【図１０】
0003158142.tif 000012
【図１１】
0003158142.tif 000013
【図１２】
0003158142.tif 000014
【図１３】
0003158142.tif 000015
【図１４】
0003158142.tif 000016
【図１５】
0003158142.tif 000017
【図１６】
0003158142.tif 000018
【図１７】
0003158142.tif 000019
【図１８】
0003158142.tif 000020
【図１９】
0003158142.tif 000021